(57)【特許請求の範囲】
【請求項１】
縫製に関する各種設定を行なう操作パネルを備えた縫製装置において、
縫製に関する設定項目を表示する表示部と、
縫製装置の使用条件のぞれぞれに対応させて設定項目の表示形態を記憶する記憶手段と、
縫製装置の使用条件を選択する選択手段と、
前記選択手段で選択された使用条件に対応する設定項目の表示形態を前記記憶手段から読み出して、該表示形態で設定項目を前記表示部に表示させる表示制御手段と、
を備えることを特徴とする縫製装置。
【請求項２】
縫製に関する各種設定を行なう操作パネルを備えた縫製装置において、
縫製に関する設定項目を表示する表示部と、
縫製装置の使用条件を選択する選択手段と、
縫製装置の使用条件のそれぞれに対応させて記憶されている設定項目の表示形態の中から、前記選択手段で選択された使用条件に対応する設定項目の表示形態を通信回線を介して取得する取得手段と、
取得した表示形態で設定項目を前記表示部に表示させる表示制御手段と、
を備えることを特徴とする縫製装置。
【請求項３】
縫製に関する各種設定を行なう操作パネルを備えた縫製装置において、
縫製に関する設定項目を表示する表示部と、
縫製装置の使用条件のぞれぞれに対応させて記憶されている設定項目の表示形態を通信回線を介して取得する取得手段と、
取得した設定項目の表示形態を記憶する記憶手段と、
縫製装置の使用条件を選択する選択手段と、
前記選択手段で選択された使用条件に対応する設定項目の表示形態を前記記憶手段から読み出して、該表示形態で設定項目を前記表示部に表示させる表示制御手段と、
を備えることを特徴とする縫製装置。
【請求項４】
前記縫製装置の使用条件が、縫製物の種類、操作パネルの使用形態、あるいは操作者の使用レベルに応じて選択されることを特徴とする請求項１から３のいずれか１項に記載の縫製装置。
【請求項５】
前記表示形態は、縫製装置の使用条件に従って、画面に表示される設定項目の数と位置が異なることを特徴とする請求項１から４のいずれか１項に記載の縫製装置。
【発明の詳細な説明】
【０００１】
【発明の属する技術分野】
本発明は、縫製装置、更に詳細には、縫製に関する各種設定を行なう操作パネルを備えた縫製装置に関する。
【０００２】
【従来の技術】
縫製装置は、縫製物の種類、縫製パラメータ、縫いデータ等に従って所定の縫製動作を行い所望する縫い目を形成している。縫製装置には、モニタを備えた操作パネルが設けられており、この操作パネルを介して縫製パラメータを設定でき、設定された縫製パラメータをモニタに表示できるようになっている。
【０００３】
【発明が解決しようとする課題】
このような従来の縫製装置において、縫製物の種類が増大し、また縫製のために必要な多数の縫製パラメータを入力するために、縫製条件に応じてモニタの表示形態を個別化（カスタマイズ）し、入力を容易にする工夫がなされている。また、この表示形態は、操作パネルの位置などの操作パネルの使用形態によってもカスタマイズされている。
【０００４】
しかしながら、従来の縫製装置では、カスタマイズが困難であるか、あるいは、カスタマイズできても、縫製パラメータの数が増大すると、それに比例してカスタマイズが複雑になるという問題があった。更に、一旦カスタマイズが終了しても、縫製条件の変動、あるいは操作パネルの位置変更によって、再カスタマイズの必要性が生じ、縫製能率を低下させる原因になっていた。
【０００５】
従って、本発明は、表示形態を簡単にカスタマイズでき、縫製効率を向上させることが可能な縫製装置を提供することをその課題とする。
【０００６】
【課題を解決するための手段】
本発明は、この課題を解決するために、
縫製に関する各種設定を行なう操作パネルを備えた縫製装置において、
縫製に関する設定項目を表示する表示部と、
縫製装置の使用条件のぞれぞれに対応させて設定項目の表示形態を記憶する記憶手段と、
縫製装置の使用条件を選択する選択手段と、
前記選択手段で選択された使用条件に対応する設定項目の表示形態を前記記憶手段から読み出して、該表示形態で設定項目を前記表示部に表示させる表示制御手段と、
を備える構成を採用している。
【０００７】
また、本発明では、
縫製に関する各種設定を行なう操作パネルを備えた縫製装置において、
縫製に関する設定項目を表示する表示部と、
縫製装置の使用条件を選択する選択手段と、
縫製装置の使用条件のそれぞれに対応させて記憶されている設定項目の表示形態の中から、前記選択手段で選択された使用条件に対応する設定項目の表示形態を通信回線を介して取得する取得手段と、
取得した表示形態で設定項目を前記表示部に表示させる表示制御手段と、
を備える構成も採用している。
【０００８】
また、本発明では、
縫製に関する各種設定を行なう操作パネルを備えた縫製装置において、
縫製に関する設定項目を表示する表示部と、
縫製装置の使用条件のぞれぞれに対応させて記憶されている設定項目の表示形態を通信回線を介して取得する取得手段と、
取得した設定項目の表示形態を記憶する記憶手段と、
縫製装置の使用条件を選択する選択手段と、
前記選択手段で選択された使用条件に対応する設定項目の表示形態を前記記憶手段から読み出して、該表示形態で設定項目を前記表示部に表示させる表示制御手段と、
を備える構成も採用している。
【０００９】
いずれの構成でも、使用者は、所望する縫製装置の使用条件に従って設定画面をカスタマイズできるので、縫製パラメータなどの設定項目を効率的に設定できるようなる。
【００１０】
【発明の実施の形態】
以下、図面に示す実施の形態に基づいて本発明を詳細に説明する。
【００１１】
図１には、本発明の縫製装置（以下、ミシンという）の一実施形態が図示されている。同図において、ミシン１０の針棒１には針１’が支持されており、この針１’は、電源スイッチ４のオンにより給電される主モータ２が回転してその回転がベルト８によりミシンの主軸に伝達されることにより、上下動する。この運針に応じて布送り装置７により布を所定の布送りピッチ（縫いピッチ）で送ることにより縫製が行なわれる。縫製は、種々の命令、縫製パラメータ、縫製データ、並びにその他制御データに従ってペダル５の動きに応じて縫製制御を行なう制御装置を内蔵した制御ボックス３により制御される。制御ボックス３には、縫製条件、縫製パラメータを設定する設定スイッチ９が設けられている。
【００１２】
また、ミシン１には、操作パネル６が取り付けられており、この操作パネル６には、液晶、ＣＲＴなどで構成される表示部としてのモニタ６ａ、並びに縫製パラメータなど縫製に関する各種設定を行なう設定ボタン６ｂが設けられており、設定された情報、設定項目がモニタ６ａに表示される。
【００１３】
図２に図示したように、ミシン１０は縫製工場２０に配置され、縫製工場側の端末コンピュータ２１とＬＡＮなどで接続され、端末コンピュータ２１からは種々の縫製パラメータの初期設定値、縫製データ、及び縫製動作を制御する制御プログラムなどがミシン１０に供給され、またミシン１０からはミシンの稼動状況を示す種々のデータが端末コンピュータ２１に供給される。
【００１４】
この縫製工場２０、並びに縫製工場２３には、ミシン１０と同様な構成のミシン１１、１２、１３が配置され、ミシン１１、１３は端末コンピュータ２２、２４とＬＡＮなどで接続され、またミシン１２は、端末機能を内蔵しているので、直接他の端末コンピュータ２１、２２とＬＡＮ接続されている。
【００１５】
縫製工場側の各端末コンピュータ２１、２２、２４及びミシン１２は、通信ネットワーク、例えばインターネットの通信回線網１４を介して、故障診断、メンテナンス、その他種々のサービスを提供するメーカーサービス部門２５の端末コンピュータ２６、２７、データサーバー２８と相互に接続されている。
【００１６】
なお、インターネットを介した通信は、通常使用されている通信プロトコール（ＴＣＰ／ＩＰ）が用いられ、また通信には、必要に応じてＩＤ番号、パスワードが設定され、送受されるデータも必要に応じて暗号化され、ＷＥＢサーバー１５を介して行なわれる。
【００１７】
図３は、各ミシン１０〜１３の制御ボックス３内の制御装置４０のブロック構成を示したもので、制御装置４０は、ミシン制御、通信制御、入出力制御など種々の制御をつかさどるＣＰＵ４０ａと、各種制御プログラム、ミシンの機種名、製造番号、出荷日、制御プログラムバージョンなどのデータを格納する不揮発性メモリ４０ｂと、ワーキングエリアを提供するＲＡＭ４０ｃと、各種縫製パラメータの設定値、故障データ、縫いデータなどのデータを格納する不揮発性メモリ４０ｄを備えている。また、この不揮発性メモリ４０ｄは、後述するように、種々のミシンの使用条件のそれぞれに対応させて縫製に関する設定項目の表示形態を格納している。
【００１８】
通信制御回路４０ｅは、縫製工場の端末コンピュータ２１（２２、２４）との間の通信をＣＰＵ４０ａの制御の元に制御し、種々のデータを受信（取得）し、また送信する手段を構成する。ミシン制御回路４０ｆは、不揮発性メモリ４０ｄに格納されている縫製パラメータや縫いデータ、並びにミシン回転数検出センサ、ピッチ検出センサなど各種センサ４２の信号、設定ボタン６ｂ、設定スイッチ９で設定された値に従って出力信号制御回路４０ｈを介してメインモータ２並びにピッチ設定アクチュエータなど種々のアクチュエータ４５を駆動しミシンの縫製動作を制御する。また、入力信号制御回路４０ｇは、各種センサ４２、設定ボタン６ｂ、設定スイッチ９の信号の取り込みを制御する。
【００１９】
更に、表示制御回路４０ｉは、ＣＰＵ４０ａとともに表示制御手段を構成し、モニタ６ａの画面表示を制御する。
【００２０】
図４及び図５は、設定項目の表示形態を不揮発性メモリ４０ｄに格納する状態が図示されている。ミシンは、ミシンで何を縫うか、操作パネルをどのような形態で使用するか、あるいはミシンの使用者のレベルなどの種々の使用条件で使用される。従って、効率的な縫製を行なうためには、縫製物の種類、操作パネルの使用形態、ユーザーレベルなどの使用条件で操作パネルのモニタの表示形態をカスタマイズする必要がある。
【００２１】
従って、図４に示したように、スーツ、Ｙシャツ、その他などの縫製物の種類、モニタ６ａの表示を縦方向（縦長）あるいは横方向（横長）にするか、あるいは図１で実線で示したように、操作パネル６をミシンの右側におくか、あるいは一点鎖線で示したように、ミシンの左側に置くかなどの操作パネルの使用形態、及びユーザーレベル（１、２、３）などの使用条件で階層構造にして、それぞれのミシンの使用条件に従ってコード（１）、（２）、（３）、．．．．．を付与する。そして、このコードに従って、図５に示したように、それぞれの使用条件に最適にカスタマイズされた設定項目の表示形態（レイアウトパターン）が不揮発性メモリ４０ｄに格納される。設定項目は、例えば縫製パラメータであり、ボタン付け並びに根巻きの縫製を行なう場合には、ボタン付け形状、ボタン形状及び縫い形状、ボタン穴間隔（縦）、ボタン穴間隔（横）、ボタン付け針数、根巻き針数、すくい量、根巻き高さ、根巻き幅などである。
【００２２】
例えば、スーツを縫う場合で、縦方向使用、右置き、ユーザーレベル１の場合には、コード（１）となり、このコードに対応して、図６（Ａ）に図示したような、ボタン穴間隔（縦と横）の設定項目（縫製パラメータ）を表示するアイコン５０ａ、並びに根巻き高さの設定項目を表示するアイコン５０ｂからなるレイアウトパターン５０が不揮発性メモリ４０ｄに格納され、また、シャツを縫う場合で、横方向使用、左置き、ユーザーレベル２の場合には、コード（２３）となり、このコードに対応して、図６（Ｂ）に図示したような、アイコン５０ａ、５０ｂと同様なアイコン５１ａ、５１ｂのほかに、ボタン付け針数、ボタン位置調整、止め縫いなど他の縫製パラメータ４個を設定できるアイコン５１ｃ〜５１ｆからなるレイアウトパターン５１が不揮発性メモリ４０ｄに格納される。
【００２３】
同様に、スーツを縫う場合で、縦方向使用、右置き、ユーザーレベル３の場合には、コード（３）となり、このコードに対応して、図７（Ａ）に図示したように、ユーザーレベル１よりは多数の縫製パラメータを設定できるアイコン５２ａ〜５２ｌからなるレイアウトパターン５２が不揮発性メモリ４０ｄに格納され、また、シャツを縫う場合で、横方向使用、左置き、ユーザーレベル１の場合には、コード（２２）となり、このコードに対しては、図７（Ｂ）に図示したように、アイコン５１ａ、５１ｂと同様な設定項目を表示するアイコン５３ａ、５３ｂからなるレイアウトパターン５３が不揮発性メモリ４０ｄに格納される。
【００２４】
このような構成において、ミシンの使用者は、不揮発性メモリ４０ｂに格納されているミシンの使用条件を選択できるプログラムを立ち上げると、図８（Ａ）に示したようなメニュー画面がモニタ６ａに現れるので、各選択ボタン（選択手段）を操作する。「縫製物の選択」ボタンを操作すると、図８（Ｂ）に示したように、「スーツ」、「Ｙシャツ」、「その他」の選択画面が、「使用方向の選択」ボタンを操作すると、図８（Ｃ）に示したように、縦方向使用を示すアイコン６０と、横方向使用を示すアイコン６１を選択できる画面が、また「設置位置の選択」ボタンを操作すると、図８（Ｄ）に示したように、操作パネルをミシンの左側に設置することを示すアイコン６２、右側に設置することを示すアイコン６３を選択できる画面が、また「ユーザーレベルの選択」ボタンを操作すると、図８（Ｅ）に示したように、ユーザーレベル１、２、３を選択できる画面がそれぞれモニタ６ａに現れる。
【００２５】
ミシンの使用者が、例えば、スーツを縫う場合で、縦方向使用、右置きを所望し、単純な設定を望む場合には、それぞれ、「スーツ」、アイコン６０、６３、ユーザーレベル１を選択して、「決定」ボタンを押す。これは、使用条件がコード（１）に対応し、このコードに対応して不揮発性メモリ４０ｄに格納されている図６（Ａ）に図示したようなレイアウトパターン５０が読み出され、このレイアウトパターンに対応する表示形態で各設定項目５０ａ、５０ｂが操作パネル６のモニタ６ａに表示される。
【００２６】
また、シャツを縫う場合で、横方向使用、左置きを所望し、少し複雑な縫い設定を望む場合には、「Ｙシャツ」、アイコン６１、６２、ユーザーレベル２を選択して、「決定」ボタンを押す。これは、使用条件がコード（２３）に対応し、このコードに対応して不揮発性メモリ４０ｄに格納されている図６（Ｂ）に図示したようなレイアウトパターン５１が読み出され、このレイアウトパターンに対応する表示形態で各設定項目５１ａ〜５１ｆが操作パネル６のモニタ６ａに表示される。
【００２７】
同様に、スーツを縫う場合で、縦方向使用、右置きを所望し、複雑な縫い設定を望む場合には、「スーツ」、アイコン６０、６３、ユーザーレベル３を選択して、「決定」ボタンを押し、使用条件コード（３）に対応して不揮発性メモリ４０ｄに格納されている図７（Ａ）に図示したようなレイアウトパターン５２を読み出し、このレイアウトパターンに対応する表示形態で各設定項目５２ａ〜５２ｌをモニタ６ａに表示させ、また、シャツを縫う場合で、横方向使用、左置きを所望し、単純な縫い設定を望む場合には、「Ｙシャツ」、アイコン６１、６２、ユーザーレベル１を選択して、「決定」ボタンを押す。これにより、使用条件コード（２２）に対応して不揮発性メモリ４０ｄに格納されている図７（Ｂ）に図示したようなレイアウトパターン５３が読み出され、このレイアウトパターンに対応する表示形態で各設定項目５３ａ、５３ｂがモニタ６ａに表示される。
【００２８】
このように、ミシンの使用者は、所望する使用条件に従って設定画面をカスタマイズできるので、図９に示した操作パネル６のモニタ６ａには、図６（Ａ）、（Ｂ）、図７（Ａ）、（Ｂ）に示したようなカスタマイズされた画面が表示される。従って、各アイコンを矢印キー６ｃで選択して、このアイコンに対応する縫製パラメータの設定項目を変更したり、あるいは数値キー６ｄを用いて入力することにより縫製パラメータの値を設定できるので、縫製パラメータの設定を効率的に行なうことができる。この場合、各カスタマイズに従って設定値の取り込み信号を整合させて取り込むようにする。
【００２９】
なお、各レイアウトパターン５０〜５３の下方部と示されているアイコン５４は、これを操作すると、糸通しの準備が行なわれ、またアイコン５５を操作すると、ボタンが供給されるが、これらのアイコンも操作パネルを右置きにするか、あるいは左置きにするかで、画面位置の左右が異なるようになるので、使用者には、便利な使用形態になる。
【００３０】
上述した各使用条件のそれぞれに対応させた設定項目のレイアウトパターンのデータは、工場側の端末コンピュータ２１（２２、２４）で作成して、ミシン１０（１１、１２、１３）がこのデータを取得するようにしてもよいし、メーカーサービス部門２５で作成し、ミシンが直接あるいは端末コンピュータを介してインターネット１４を通じて取得するようにしてもよい。いずれにしても、これら取得されたレイアウトパターンは、ミシンの不揮発性メモリ４０ｄに格納されて、使用者が選択した使用条件に従って読み出される。しかし、ミシンのメモリに格納することなく、レイアウトパターンのデータをメーカー側のデータサーバー２８のデータベースに保存し、使用条件をインターネットを介してメーカーサービス部門２５に送信し、その使用条件に対応するレイアウトパターンをデータサーバー２８のデータベースから読み出してインターネットを介して取得し、モニタに表示させるようにしてもよい。
【００３１】
【発明の効果】
以上説明したように、本発明では、ミシンの使用者は、所望するミシンの使用条件に従って設定画面をカスタマイズできるので、縫製パラメータなどの設定項目を効率的に設定できるようになり、縫製効率を向上させることができる。
【図面の簡単な説明】
【図１】本発明の縫製装置の外観を示す正面図である。
【図２】縫製装置がインターネットを介して接続される状態を示した説明図である。
【図３】縫製装置の制御構成を示すブロック図である。
【図４】表示形態を定めるミシンの使用条件の構成を示した構成図である。
【図５】不揮発性メモリに格納される表示形態のデータを示した説明図である。
【図６】ミシンの使用条件に従って格納される表示レイアウトパターンを示した説明図である。
【図７】ミシンの使用条件に従って格納される表示レイアウトパターンを示した説明図である。
【図８】ミシンの使用条件の選択画面を示した表示図である。
【図９】操作パネルの配置を詳細に示した説明図である。
【符号の説明】
６  操作パネル
６ａ  モニタ
４０ａ  ＣＰＵ
４０ｄ  不揮発性メモリ
４０ｉ  表示制御回路
【図１】
0004485086.tif 000002
【図２】
0004485086.tif 000003
【図３】
0004485086.tif 000004
【図４】
0004485086.tif 000005
【図５】
0004485086.tif 000006
【図６】
0004485086.tif 000007
【図７】
0004485086.tif 000008
【図８】
0004485086.tif 000009
【図９】
0004485086.tif 000010